(57)【要約】【課題】鳥獣の警戒心を軽減し得る鳥獣捕獲装置を提供し、運搬や組み立ての困難を軽減し得る鳥獣捕獲装置を提供すること。【解決手段】鳥獣捕獲装置（１０）は、地面上に広げられた鳥獣捕獲用の網（１２）と、網の上に載置されたベース板（１４）及びベース板に支持され上下方向へ伸びる支柱（１６）と、網の周縁部（１２ａ）にその周方向へ互いに間隔をおいて配置されかつ網の周縁部に接続された一端部（１８ａ）を有する複数の索（１８）及び複数の索の他端部（１８ｂ）に接続された紐（２０）と、支柱に設けられ紐を上方に向けて引き上げる引上げ機構（２２）とを備える。【選択図】図１
2020145931.tif 000002
【特許請求の範囲】
【請求項１】
地面上に広げられた鳥獣捕獲用の網と、
前記網の上に載置されたベース板及び該ベース板に支持され上下方向へ伸びる支柱と、
前記網の周縁部にその周方向へ互いに間隔をおいて配置されかつ前記網の周縁部に接続された一端部を有する複数の索及び該複数の索の他端部に接続された紐と、
前記支柱に設けられ前記紐を上方に向けて引き上げる引上げ機構とを備える、鳥獣捕獲装置。
【請求項２】
前記引上げ機構は、
前記支柱の上部に取り付けられ前記紐をその伸長方向へ移動可能に拘束する拘束部材と、
前記支柱の上部に取り付けられた永電磁石と、
前記拘束部材に拘束された前記紐に連結された磁性片であって非通電状態におかれた前記永電磁石に磁気吸着された磁性片と、
緊張状態におかれ前記支柱に沿って上下方向へ伸びるばね部材であって前記磁性片に連結された上端部及び前記ベース板又は前記支柱の下部に連結された下端部を有するばね部材とからなり、
前記引上げ機構は前記永電磁石を通電状態とすることにより作動する、請求項１に記載の鳥獣捕獲装置。
【請求項３】
さらに、前記ベース板の上方に配置されかつ前記支柱に取り付けられた、前記複数の索及び前記ばね部材の通過を許す複数の孔を有する板状部材を備える、請求項２に記載の鳥獣捕獲装置。
【請求項４】
前記拘束部材は滑車からなる、請求項２又は３に記載の鳥獣捕獲装置。
【請求項５】
前記引上げ機構は、前記支柱の上部に設けられ前記紐を巻き上げる電動モータからなり、
前記引上げ機構は前記電動モータへの通電により作動する、請求項１に記載の鳥獣捕獲装置。
【請求項６】
さらに、前記支柱に設けられ前記網の上への侵入物を検知する熱型赤外線センサと、
前記熱型赤外線センサの検知信号を受けて前記引上げ機構を作動させる作動機構とを備える、請求項１〜５のいずれか１項に記載の鳥獣捕獲装置。
【発明の詳細な説明】
【技術分野】
【０００１】
本発明は、鳥獣、特に有害な鳥獣の捕獲に供される鳥獣捕獲装置に関する。
【背景技術】
【０００２】
従来、害獣の捕獲を目的として、害獣を誘い込む開口を有する檻と、檻の内部に配置された捕獲用の網と、網の周縁部に連結された複数のロープを介して網を引き上げる引上げ機構とを備える害獣捕獲装置が提案されている。檻は複数の横材及び縦材を直方体の辺上に配置してなり、網は檻の底面上に広げた状態におかれ、また、引上げ機構は檻頂部に支持されている。これによれば、害獣が檻の内部に侵入し網の上に到達すると、引上げ機構の作動により網が引き上げられ、これにより網が巾着状にされ、網の中に害獣が捕獲される。
【０００３】
ところで、前記従来の捕獲装置にあっては、捕獲に当たり、害獣を檻の中に誘い込む必要があるところ、檻は害獣の警戒心を生じさせるおそれがある。また、捕獲装置は平地や野山を問わず、様々な地形の場所に設置されるため、その運搬や組み立て上、比較的容易であることが望ましい。
【先行技術文献】
【特許文献】
【０００４】
【特許文献１】特開２０１４−８３０４９号公報
【発明の概要】
【発明が解決しようとする課題】
【０００５】
本発明は、前記従来の事情に鑑み、鳥獣の警戒心を軽減し得る鳥獣捕獲装置を提供する。また、本発明は、運搬や組み立ての困難を軽減し得る鳥獣捕獲装置を提供する。
【課題を解決するための手段】
【０００６】
本発明に係る鳥獣捕獲装置は、地面上に広げられた鳥獣捕獲用の網と、該網の上に載置されたベース板及び該ベース板に支持され上下方向へ伸びる支柱と、前記網の周縁部にその周方向へ互いに間隔をおいて配置されかつ前記網の周縁部に接続された一端部を有する複数の索及び該複数の索の他端部に接続された紐と、前記支柱に設けられ前記紐を上方に向けて引き上げる引上げ機構とを備える。
【０００７】
本発明に係る鳥獣捕獲装置にあっては、引上げ機構を作動させて紐を上方に向けて引き上げると、前記紐に接続された複数の索及び該索に接続された前記網の周縁部が上方に向けて順次に引き上げられる。その結果、前記網の周縁部が窄められた状態におかれ、前記網上のベース板と前記網の周縁部との間において前記支柱の周囲を取り巻く囲いが形成される。これによれば、地面上に広げられた網の上に鳥獣が乗ったときに前記引上げ機構を作動させることにより、鳥獣を前記囲いの中に閉じ込め、捕獲することができる。このため、鳥獣の警戒心を比較的小さい状態下において鳥獣の捕獲を行うことができる。
【０００８】
また、本発明に係る鳥獣捕獲装置は、地面上に前記網を広げ、その上にベース板及び支柱を載置することにより比較的容易に設置することができ、また、前記網を支持する前記ベース板及び支柱は持ち運びが比較的容易である。
【０００９】
前記引上げ機構は、前記支柱の上部に取り付けられ前記紐をその伸長方向へ移動可能に拘束する拘束部材と、前記支柱の上部に取り付けられた永電磁石と、前記拘束部材に拘束された前記紐に連結された磁性片であって非通電状態におかれた前記永電磁石に磁気吸着された磁性片と、緊張状態におかれ前記支柱に沿って上下方向へ伸びるばね部材であって前記磁性片に連結された上端部及び前記ベース板又は前記支柱の下部に連結された下端部を有するばね部材とからなるものとすることができる。ここにおいて、前記引上げ機構は前記永電磁石を通電状態とすることにより作動する。これによれば、前記緊張状態におかれたばね部材の弾性復帰により、前記紐が引張力を受け、上方に向けて引き上げられる。
【００１０】
前記鳥獣捕獲装置は、さらに、前記ベース板の上方に配置されかつ前記支柱に取り付けられ前記複数の索及び前記ばね部材の通過を許す複数の孔を有する板状部材を備えるものとすることができる。これによれば、前記網の周縁部が前記板状部材に当接するとき、前記紐の引上げが止められる。このとき、前記板状部材は窄んだ状態にある前記網の口を塞ぐ働きをなす。
【００１１】
前記拘束部材は滑車からなるものとすることができる。
【００１２】
前記引上げ機構は、前記支柱の上部に設けられ前記紐を巻き上げる電動モータからなるものとすることができる。ここにおいて、前記引上げ機構は前記電動モータへの通電により作動する。
【００１３】
前記鳥獣捕獲装置は、さらに、前記支柱に設けられ前記網の上への侵入物を検知する熱型赤外線センサと、該熱型赤外線センサの検知信号を受けて前記引上げ機構を作動させる作動機構とを備えるものとすることができる。これによれば、前記引上げ機構の作動を自動的に行うことができる。
【図面の簡単な説明】
【００１４】
【図１】引上げ機構の作動前における鳥獣捕獲装置の側面図である。
【図２】引上げ機構の作動後における鳥獣捕獲装置の側面図である。
【図３】図１に示す鳥獣捕獲装置の網の平面形状を示す図である。
【図４】図２に示す鳥獣捕獲装置の網の平面形状を示す図である。
【発明を実施するための形態】
【００１５】
図１を参照すると、本発明に係る鳥獣捕獲装置が全体に符号１０で示されている。
【００１６】
鳥獣捕獲装置１０は、鳥獣捕獲用の網１２と、ベース板１４と、支柱１６と、複数（図示の例では８本）の索１８と、紐２０と、引上げ機構２２とを備える。
【００１７】
網１２は、地面Ｇに配置され、広げられた状態にある。網１２は、例えばポリエステル繊維のような合成樹脂製の繊維からなる。図示の網１２は全体に円形の平面形状を有し、捕獲対象とされる鳥獣を包み込むことができる大きさを有する。網１２は、図示の例に代えて、円形以外の例えば正八角形のような多角形の平面形状を有するものとすることができる。
【００１８】
図示のベース板１４は全体に円形の平面形状を有する。ベース板１４の平面形状は、図示の円形以外の他の形状、例えば矩形からなるものとすることができる。ベース板１４は広げられた網１２の大きさより小さく、広げられた網１２の上の好ましくは網１２の中心部に載置される。
【００１９】
支柱１６はベース板１４に支持され上下方向へ伸びている。支柱１６は、鳥獣捕獲装置１０の設置場所への持ち運びの便を考慮して、好ましくは、ベース板１４に対して分離可能に接続されている。
【００２０】
索１８はワイヤ、ロープ又はワイヤロープからなる。複数の索１８はその一端部２４において網１２の周縁部１２ａに接続されている。複数の索１８の一端部２４は、網１２の周縁部１２ａにその周方向へ互いに間隔をおいて、好ましくは等間隔をおいて配置されている。
【００２１】
図示の紐２０も、また、ワイヤ、ロープ又はワイヤロープからなる。紐２０は、複数の索１８の他端部２６に接続されている。より詳細には、紐２０は、その一端部２０ａにおいて、複数の索１８の束ねられた状態におかれた他端部２６に接続されている。
【００２２】
引上げ機構２２は支柱１６に設けられている。引上げ機構２２は、紐２０に対してこれを上方に向けて引き上げる働きをなす。
【００２３】
図示の引上げ機構２２は、支柱１６の上部１６ａに取り付けられた拘束部材２８を有する。拘束部材２８は、支柱１６の上部１６ａにおいて、紐２０をその伸長方向へ移動可能に拘束する働きをなす。図示の拘束部材２８はその一例としての滑車からなり、これに紐２０が掛けられている。拘束部材２８は前記滑車に代えて、例えば、支柱１６の上部１６ａに固定され紐２０が通されたリング部を有するアイボルト（図示せず）からなるものとすることができる。また、図示の例にあっては、支柱１６の側部に互いに間隔おいて配置、固定された２つのアイボルト２９のリング部に紐２０が通されている。各アイボルト２９のリング部は、複数の索１８の他端部２６の束の通過を許す直径を有する。
【００２４】
引上げ機構２２は、さらに、支柱１６の上部１６ａに取り付けられた永電磁石３０と、磁性片３２と、緊張状態におかれたばね部材３４とを有する。
【００２５】
永電磁石３０は、図示の例にあっては、拘束部材２８の取り付け位置の下方に配置されている。図示の永電磁石３０は筒状を呈し、運搬可能のバッテリー（図示せず）に電気的に接続されている。前記バッテリーは、例えば網１２の周囲の地面Ｇ上に置かれる。
【００２６】
磁性片３２は、拘束部材２８に拘束された紐２０に連結されている。図示の例にあっては、前記滑車を巡り、永電磁石３０を経て伸びる紐２０にその他端部２０ｂにおいて連結されている。磁性片３２は、非通電状態におかれた永電磁石３０に磁気吸着されている。引上げ機構２２は、永電磁石３０を通電状態とすることにより作動する。より詳細には、永電磁石３０を通電状態とすることにより、磁性片３２に対する磁気吸着力が消失し、磁性片３２が、緊張状態にあるばね部材３４の弾性復帰力を受けて永電磁石３０を離れ、下降する。
【００２７】
図示のばね部材３４は、支柱１６に沿って上下方向へ伸びるコイルばねからなる。ばね部材３４は、磁性片３２に連結された上端部３４ａと支柱１６の下部１６ｂに連結された下端部３４ｂとを有し、図示の例においては引張状態におかれている。ばね部材３４の下端部３４ｂは、図示の例に代えて、ベース板１４に連結することができる。
【００２８】
引上げ機構２２の作動は、磁性片３２の下降に伴う紐２０の他端部２０ｂの下降及びその一端部２０ａの上昇と、複数の索１８の上昇と、網１２の周縁部１２ａの上昇とを順次に生じさせる（図２）。
【００２９】
ところで、複数の索１８の他端部１８ｂは、紐２０の一端部２０ａに接続されている。このため、束ねられた状態にある。このことから、複数の索１８の上昇に伴って、これらの索１８に接続された網１２の周縁部１２ａが地上での広がった状態から、支柱１６の周りに次第に窄まる状態におかれる。その結果、網１２上のベース板１４と網１２の周縁部１２ａとの間において、網１２が、支柱１６の周囲を取り巻く円錐状の囲い３６（図２）を形成する。
【００３０】
鳥獣捕獲装置１０は、好ましくは、さらに、ベース板１４の上方に水平に配置され、支柱１６に取り付けられ、また、複数の索１８及びばね部材３４の通過を許す複数の孔を有する板状部材３８を備える。図示の板状部材３８は矩形状の金網（図３及び図４参照）からなり、複数の索１８及びばね部材３４は、前記複数の孔を規定する前記金網の複数の目にそれぞれ通されている。図示の例では、支柱１６は前記金網の中央部において前記金網の目を貫通し、また、前記金網がブラケットのような取付具（図示せず）を介して支柱１６に解除可能に固定されている。
【００３１】
これによれば、網１２の周縁部１２ａが板状部材３８に当接するとき、紐２０の引上げが止められる。このとき、板状部材３８は、窄んだ状態にある網１２の周縁部１２ａの口、すなわち囲い３６の口を塞ぐ働きをなす。
【００３２】
鳥獣捕獲装置１０によれば、地面Ｇ上に広げられた網１２の上に鳥獣が乗ったときに引上げ機構２２を作動させ、網１２の周縁部１２ａを上方へ引き上げることにより、鳥獣の周囲を囲い３６で取り囲み、鳥獣を捕獲することができる。地面Ｇの上に広げられた網１２及び該網を支持するベース板１４及び支柱１６は、従来の檻のように鳥獣を誘い込むものではなく、また、その設置形態から、鳥獣に対しては警戒心を起こさせにくい。
【００３３】
引上げ機構２２は、支柱１６の上部１６ａに設けられ紐２０を巻き上げる電動モータ（図示せず）からなるものとすることができる。前記電動モータは前記バッテリーに電気的に接続されている。これによれば、前記電動モータへの通電によりこれを作動させ、紐２０を上方に向けて引き上げることができる。
【００３４】
引上げ機構２２を作動させるための永電磁石３０への通電及び前記電動モータへの通電の開始は、手動にてあるいは自動で行うことができる。
【００３５】
引上げ機構２２の自動的な作動のために、鳥獣捕獲装置１０が、さらに、支柱１６に設けられ網１２の上への侵入物である前記鳥獣を検知する熱型赤外線センサ４０と、該熱型赤外線センサの検知信号を受けて引上げ機構２２を作動させるリレーのような作動機構（図示せず）とを備えるものとすることができる。図示の例では、前記作動機構は前記バッテリーと、永電磁石３０のオンオフ切替スイッチ（図示せず）とに電気的に接続されている。前記作動機構は、図１及び図２に示すボックス４２に収納されている。
【００３６】
これによれば、前記作動機構が、網１２の上の鳥獣を検知した熱型赤外線センサ４０が発する検知信号を受信すると、永電磁石３０の前記オンオフ切替スイッチに切替信号を出力し、これを受けて、前記切替スイッチが永電磁石３０に対する通電動作を行う。これにより、自動的に鳥獣の捕獲が行われる。
【符号の説明】
【００３７】
１０  鳥獣捕獲装置
１２  網
１４  ベース板
１６  支柱
１８  索
２０  紐
２２  引上げ機構
２４、２６  索の一端部及び他端部
２８  拘束部材（滑車）
３０  永電磁石
３２  磁性片
３４  ばね部材
３６  囲い
３８  板状部材
４０  熱型赤外線センサ
【図１】
2020145931.tif 000003
【図２】
2020145931.tif 000004
【図３】
2020145931.tif 000005
【図４】
2020145931.tif 000006